(57)【特許請求の範囲】
【請求項１】
本体部分と、パチンコ球が通過可能なパチンコ球通過孔とから構成され、パチンコ球が前記パチンコ球通過孔を通過した旨を検出するパチンコ球通過センサを、パチンコ球通路に形成され、前記パチンコ球通過センサを挿入可能な挿入部を有するセンサ保持部材に挿入して取り付けるパチンコ球通過センサの取付構造であって、
前記パチンコ球通過センサが前記パチンコ球の進行方向に対して遊動可能に、前記本体部分における前記パチンコ球の進行方向に対して略垂直な下面と、当該下面に対向する前記センサ保持部材の挿入部の内面の部分との間に０．１ｍｍ以上の空隙が生じる様に、前記センサ保持部材の挿入部の寸法が設定されていることを特徴とするパチンコ球通過センサの取付構造。
【請求項２】
パチンコ球が通過可能なパチンコ球通過孔が形成され、パチンコ球が前記パチンコ球通過孔を通過した旨を検出するパチンコ球通過センサを、パチンコ球通路に形成され、前記パチンコ球通過センサを挿入可能な挿入部を有するセンサ保持部材に挿入して取り付けるパチンコ球通過センサの取付構造であって、
前記センサ保持部材の挿入部における、前記パチンコ球通過センサを挿入する方向に対して垂直な方向に沿った断面が、前記センサ保持部材の挿入部の内面における上面部を斜辺とする台形状になるように、前記センサ保持部材の挿入部の形状が形成されていることを特徴とするパチンコ球通過センサの取付構造。
【発明の詳細な説明】
【０００１】
【発明の属する技術分野】
本発明は、パチンコ球通路をパチンコ球が通過した旨を検出するパチンコ球通過センサを取り付ける構造に関する。
【０００２】
【従来の技術、及び発明が解決しようとする課題】
従来、パチンコ遊技機の機構盤に形成されているパチンコ球通路の所定箇所には、パチンコ球が入賞口に入賞した旨を検出する等の目的で、パチンコ球の通過を検出することができるパチンコ球通過センサが設置されている。
【０００３】
図１（ａ）に示す様に、パチンコ球通過センサ１は、直方体に近い形状であり、パチンコ球が通過可能なパチンコ球通過孔５を有している。そして、パチンコ球通過センサ１は、本体部分３に内蔵されている集積回路によってパチンコ球通過孔５の近傍に所定強度の磁界を発生させ、磁界中を導体が移動する際に磁界が変化する原理を利用して、パチンコ球がパチンコ球通過孔５を通過した旨を検出する様に構成されている。
【０００４】
パチンコ球通路１０には、図１（ｂ）に示す様に、パチンコ球通過センサ１を挿入可能な挿入部２１を有するセンサ保持部材２０が形成されている。そして、パチンコ球通過センサ１は、図の矢印Ａの方向に平行移動させてセンサ保持部材２０の挿入部２１に挿入されることによって、図２に示す様に取り付けられる。掛止突起２５は、パチンコ球通過センサ１を掛止して、パチンコ球通過センサ１がセンサ保持部材２０の挿入部２１から脱落しない様にするためのものであり、可撓性を有する腕部２３の先端に形成されている。
【０００５】
そして、パチンコ遊技機は、パチンコ球通過センサ１による検出結果に基づいて賞品球の払い出し個数等を決定する。このため、パチンコ球通過センサ１は、パチンコ球の通過を正確に検出する必要がある。
しかし、実際には、従来のパチンコ遊技機においては、パチンコ球通過センサ１は、パチンコ球の通過を誤検出することがあった。具体的には、１％前後の頻度で、パチンコ球が１つしか通過していないのに、パチンコ球２つ分の通過を検出することがあった。この様な誤検出は、主に、パチンコ球が、パチンコ球通過センサ１のパチンコ球通過孔５の縁に衝突して不規則に跳ね返り、その結果、パチンコ球通過センサ１の磁界が不規則に変化してしまうことに起因して発生する。
【０００６】
この様にパチンコ球の通過が誤検出されると、パチンコ遊技場や遊技者が不測の不利益を被るおそれがあるので、誤検出を防止するための技術が要望されている。
本発明は、この様な要望に応えるためになされたものであり、パチンコ球がパチンコ球通過センサに衝突して不規則に跳ね返ることに起因して発生する誤検出を防止することを目的とする。
【０００７】
【課題を解決するための手段、及び発明の効果】
この様な目的を達成するため、本発明にかかるパチンコ球通過センサの取付構造は、請求項１に記載されている様に、本体部分と、パチンコ球が通過可能なパチンコ球通過孔とから構成され、パチンコ球が前記パチンコ球通過孔を通過した旨を検出するパチンコ球通過センサを、パチンコ球通路に形成され、前記パチンコ球通過センサを挿入可能な挿入部を有するセンサ保持部材に挿入して取り付けるパチンコ球通過センサの取付構造であって、前記パチンコ球通過センサが前記パチンコ球の進行方向に対して遊動可能に、前記本体部分における前記パチンコ球の進行方向に対して略垂直な下面と、当該下面に対向する前記センサ保持部材の挿入部の内面の部分との間に０．１ｍｍ以上の空隙が生じる様に、前記センサ保持部材の挿入部の寸法が設定されていることを特徴とする。
【０００８】
本発明にかかるパチンコ球通過センサの取付構造によれば、パチンコ球通過センサは、従来と同様に、センサ保持部材の挿入部に挿入されて取り付けられるのであるが、本発明にかかるパチンコ球通過センサの取付構造では、従来と異なり、パチンコ球通過センサは、センサ保持部材の挿入部に対して、完全な固定状態ではなく、パチンコ球の進行方向及びその逆方向に遊動可能な状態（遊嵌状態）で取り付けられる。
【０００９】
本発明の発明者による実験の結果、この様にセンサ保持部材の挿入部の寸法を設定して、パチンコ球通過センサをセンサ保持部材の挿入部に対して遊嵌状態で取り付けた場合には、パチンコ球がパチンコ球通過センサのパチンコ球通過孔の縁に衝突しても、遊嵌状態のパチンコ球通過センサがパチンコ球の進行方向及びその逆方向に適度な範囲で微動することにより衝突のエネルギーを十分に吸収し、パチンコ球が跳ね返り難くなることが判明した。
【００１０】
この様にパチンコ球が跳ね返り難くなると、パチンコ球の通過が誤検出される頻度は大きく低下するので、本発明にかかるパチンコ球通過センサの取付構造によれば、特別な器具・装置を別途設けることなく、パチンコ球がパチンコ球通過センサに衝突して不規則に跳ね返ることに起因して発生する誤検出を防止することができ、その結果、パチンコ遊技場や遊技者が不測の不利益を被る事態を回避することができる。
【００１３】
従って、本発明にかかるパチンコ球通過センサの取付構造がこの様に構成されている場合には、パチンコ球がパチンコ球通過センサに衝突して不規則に跳ね返ることに起因して発生する誤検出をより確実に防止することができる。また、本発明にかかるパチンコ球通過センサの取付構造は、請求項２に記載されている様に、パチンコ球が通過可能なパチンコ球通過孔が形成され、パチンコ球が前記パチンコ球通過孔を通過した旨を検出するパチンコ球通過センサを、パチンコ球通路に形成され、前記パチンコ球通過センサを挿入可能な挿入部を有するセンサ保持部材に挿入して取り付けるパチンコ球通過センサの取付構造であって、前記センサ保持部材の挿入部における、前記パチンコ球通過センサを挿入する方向に対して垂直な方向に沿った断面が、前記センサ保持部材の挿入部の内面における上面部を斜辺とする台形状になるように、前記センサ保持部材の挿入部の形状が形成されていることを特徴とする。
【００１５】
【発明の実施の形態】
以下、本発明の実施の形態を図面に基づいて説明する。
まず、本実施例のパチンコ球通過センサの取付構造の構成について説明する。
図１は、本実施例のパチンコ球通過センサの構成を説明するための斜視図（ａ）及びパチンコ球通路（センサ保持部材）の構成を説明するための斜視図（ｂ）であり、図２は、パチンコ球通過センサをパチンコ球通路（センサ保持部材）に取り付けた状態を表す斜視図である。
【００１６】
パチンコ球通過センサ１は、図１（ａ）に示す様に、縦（Ｘ１）＝３０ｍｍ、横（Ｙ１）＝１６ｍｍ、高さ（Ｚ１）＝６ｍｍの直方体に近い形状であり、パチンコ球が通過可能なパチンコ球通過孔５を有している。そして、パチンコ球通過センサ１は、本体部分３に内蔵されている図示しない集積回路によってパチンコ球通過孔５の近傍に所定強度の磁界を発生させ、磁界中を導体が移動する際に磁界が変化する原理を利用して、パチンコ球がパチンコ球通過孔５を通過した旨を検出する様に構成されている。
【００１７】
パチンコ球通路１０には、図１（ｂ）に示す様に、パチンコ球通過センサ１を挿入可能な挿入部２１を有するセンサ保持部材２０が形成されている。挿入部２１の寸法は、縦（Ｘ２）＝３０ｍｍ、横（Ｙ２）＝１６ｍｍ、高さ（Ｚ２）＝６ｍｍとなっている。そして、パチンコ球通過センサ１は、図の矢印Ａの方向に平行移動させてセンサ保持部材２０の挿入部２１に挿入されることによって、図２に示す様に取り付けられる。掛止突起２５は、パチンコ球通過センサ１を掛止して、パチンコ球通過センサ１がセンサ保持部材２０の挿入部２１から脱落しない様にするためのものであり、可撓性を有する腕部２３の先端に形成されている。
【００１８】
そして、本実施例のパチンコ球通過センサの取付構造においては、パチンコ球通路１０のセンサ保持部材２０の挿入部２１内の図１（ｂ）に示すｃ面（斜めの破線が付された領域）が０．１ｍｍ削られている。
続いて、本実施例のパチンコ球通過センサの取付構造の効果について説明する。
【００１９】
本実施例のパチンコ球通過センサの取付構造によれば、パチンコ球通過センサ１は、従来と同様に、センサ保持部材２０の挿入部２１に挿入されて取り付けられるのであるが、本実施例では、ｃ面を０．１ｍｍ削ることで、パチンコ球通過センサ１の挿入部の寸法よりもセンサ保持部材２０の寸法が若干大きくなっており、パチンコ球通過センサ１は、センサ保持部材２０の挿入部２１に対して、完全な固定状態ではなく、遊動可能な状態（遊嵌状態）で取り付けられている。
【００２０】
このため、パチンコ球がパチンコ球通過センサ１のパチンコ球通過孔５の縁に衝突しても、遊嵌状態のパチンコ球通過センサ１が微動することにより衝突のエネルギーを吸収し、パチンコ球が跳ね返り難くなり、パチンコ球の通過が誤検出される頻度は大きく低下する。
【００２１】
従って、特別な器具・装置を別途設けることなく、パチンコ球がパチンコ球通過センサに衝突して不規則に跳ね返ることに起因して発生する誤検出を防止することができ、その結果、パチンコ遊技場や遊技者が不測の不利益を被る事態を回避することができる。
【００２２】
又、センサ保持部材２０の挿入部２１のｃ面が削られているので、パチンコ球通過センサ１は、パチンコ球が衝突するとパチンコ球の進行方向及びその逆方向に微動することによって衝突のエネルギーを吸収することになるので、衝突のエネルギーをより効率的に吸収することができる。
【００２３】
従って、パチンコ球がパチンコ球通過センサ１に衝突して不規則に跳ね返ることに起因して発生する誤検出をより確実に防止することができる。
又、ｃ面が０．１ｍｍ削られており、パチンコ球通過センサ１にパチンコ球が衝突した際、パチンコ球通過センサ１は適度な範囲で微動するので、パチンコ球の衝突のエネルギーを十分に吸収することができる。
【００２４】
続いて、パチンコ球通路１０のセンサ保持部材２０の挿入部２１のｃ面が０．１ｍｍ削られていることによる効果について、より具体的に説明する。
【００２５】
【表１】
0003777952.tif 000002
【００２６】
表１は、外形が同じである３つのパチンコ球通過センサについて、パチンコ球の通過が誤検出される頻度を調べた結果を表すものである。尚、「検出幅」とは、パチンコ球がパチンコ球通過センサのパチンコ球通過孔を通過する際に、パチンコ球通過センサによりパチンコ球の存在が初めて検出される地点を第１地点とし、検出されなくなる地点を第２地点とした場合の第１地点から第２地点までの距離のことであり、「応差」とは、パチンコ球通過センサによりパチンコ球の存在が初めて検出される地点を第３地点とし、第３地点からパチンコ球が逆行した場合に検出されなくなる地点を第４地点とした場合の第３地点から第４地点までの距離のことである。
【００２７】
まず、「削り込みなし」とは、従来のパチンコ球通路のセンサ保持部材を加工せずにパチンコ球通過センサを取り付けた場合の誤検出の頻度であり、１番のパチンコ球通過センサでは、１０００個中７個について誤検出が発生したということである。同様に、２番のパチンコ球通過センサでは、１０００個中７個について誤検出が発生し、３番のパチンコ球通過センサでは、１０００個中９個について誤検出が発生したということである。
【００２８】
次に、「ａ面削り０．１５ｍｍ」とは、図１（ｂ）に示すａ面（側壁面）を０．１５ｍｍ削った場合の誤検出の頻度であり、１番のパチンコ球通過センサでは、１０００個中８個について誤検出が発生したということである。同様に、２番のパチンコ球通過センサでは、１０００個中４個について誤検出が発生し、３番のパチンコ球通過センサでは、１０００個中１１個について誤検出が発生したということである。
【００２９】
次に、「ａ面削り０．２５ｍｍ」とは、ａ面を０．２５ｍｍ削った場合の誤検出の頻度であり、１番のパチンコ球通過センサでは、１０００個中３個について誤検出が発生したということである。同様に、２番のパチンコ球通過センサでは、１０００個中２個について誤検出が発生し、３番のパチンコ球通過センサでは、１０００個中５個について誤検出が発生したということである。
【００３０】
次に、「ｂ面削り０．２ｍｍ」とは、ｂ面（パチンコ球通過センサをセンサ保持部材に挿入して取り付けた状態において、パチンコ球通過センサの側面と当接する掛止突起２５の面）を０．２ｍｍ削った場合の誤検出の頻度であり、１番のパチンコ球通過センサでは、１０００個中５個について誤検出が発生したということである。同様に、２番のパチンコ球通過センサでは、１０００個中３個について誤検出が発生し、３番のパチンコ球通過センサでは、１０００個中４個について誤検出が発生したということである。
【００３１】
最後に、「ｃ面削り０．１ｍｍ」とは、本実施例の態様であり、３つのパチンコ球通過センサの何れについても、１０００個中１個も誤検出が発生しなかったということである。
この結果から明らかな様に、ａ面やｂ面を削っても誤検出を防止する効果は得られるが、ｃ面を削った場合には、その効果が非常に顕著である。
【００３２】
以上、本発明の実施の形態について説明したが、本発明は前述した実施例に何等限定されるものではなく、更に種々の態様において実施しても良いことはもちろんである。
例えば、実施例では、ｃ面だけを削ったが、パチンコ球通過センサ１の底面と当接する面全体を削っても良いし、更にａ面やｂ面も削っても良い。又、削るのではなく、設計段階において、パチンコ球通過センサとセンサ保持部材との間に０．１ｍｍ程度の空隙が生じる様にＸ２、Ｙ２及びＺ２の寸法を調整しても良いことは勿論である。
【００３３】
又、実施例では、センサ保持部材２０の挿入部２１の形状は、図３（ａ）及び（ｂ）に示す様に略直方体形状（図３（ａ）は実施例のセンサ保持部材２０の模式的正面図であり、図３（ｂ）は図３（ａ）のＡ−Ａ線における模式的断面図である。）であったが、図３（ｃ）及び（ｄ）に示す様に、正面又は上面から見た形状が台形状（図３（ｃ）は変形例のセンサ保持部材２０の模式的正面図であり、図３（ｄ）は図３（ｃ）のＢ−Ｂ線における模式的断面図である。）であっても良い。
【図面の簡単な説明】
【図１】  パチンコ球通過センサの構成を説明するための斜視図（ａ）及びパチンコ球通路（センサ保持部材）の構成を説明するための斜視図（ｂ）である。
【図２】  パチンコ球通過センサをパチンコ球通路（センサ保持部材の挿入部）に取り付けた状態を表す斜視図である。
【図３】  変形例のセンサ保持部材の挿入部の形状を表す説明図である。
【符号の説明】
１…パチンコ球通過センサ    ３…本体部分    ５…パチンコ球通過孔    １０…パチンコ球通路    ２０…センサ保持部材    ２１…挿入部    ２３…腕部
２５…掛止突起。
【図１】
0003777952.tif 000003
【図２】
0003777952.tif 000004
【図３】
0003777952.tif 000005